(57)【要約】      （修正有）【課題】袋を安定して自立させることが容易にできる、培土袋を提供する。【解決手段】袋１は、開口となる側の第１端部１１及び第１端部１１とは反対側に位置する第２端部１２を有するとともに培土５０が充填される袋本体１０と、袋本体１０の幅方向Ｗにおける第２端部１２の両端に設けられるとともに互いに係合されて連結可能な連結部２０とを備える。【選択図】図３
0003235360.tif 000002
【実用新案登録請求の範囲】
【請求項１】
開口となる側の第１端部及び前記第１端部とは反対側に位置する第２端部を有するとともに培土が充填される袋本体と、
前記袋本体の幅方向における前記第２端部の両端に設けられるとともに互いに係合されて連結可能な連結部と、を備える、
培土袋。
【請求項２】
前記連結部は、雄スナップボタンと、前記雄スナップボタンに対して着脱自在に連結される雌スナップボタンと、を有している、
請求項１に記載の培土袋。
【請求項３】
前記雄スナップボタン及び前記雌スナップボタンの一方は、前記袋本体を構成する表シート及び裏シートの一方の外面に設けられており、
前記雄スナップボタン及び前記雌スナップボタンの他方は、前記表シート及び前記裏シートの他方の外面に設けられている、
請求項２に記載の培土袋。
【請求項４】
前記第２端部には、前記幅方向に延びるとともに前記袋本体を構成する表シートと裏シートとを接合してシールするシール部が設けられており、
前記連結部は、前記袋本体の長さ方向において前記シール部よりも外側に設けられている、
請求項１から請求項３のいずれか一項に記載の培土袋。
【考案の詳細な説明】
【技術分野】
【０００１】
本考案は、培土袋に関する。
【背景技術】
【０００２】
特許文献１には、植物の袋栽培法及びそれに使用する筒状の袋が開示されている。
袋に培土が充填された状態で、袋の両端の開口部がシールされている。開口部のシール部分は、空の袋を閉じた状態で重なり合う前後２枚のシートが線状に接合されることで構成されている。シール部分の一方には、該シール部分を底面として袋を設置可能とする係止手段が設けられている。
【０００３】
こうした係止手段として、底面となるシール部分に、紐通しを設け、該紐通しに通された紐を引き締めることにより、該シール部分を絞ることを可能とした構成が開示されている（特許文献１の図１参照）。
【０００４】
また、他の係止手段として、底面となるシール部分の左右両端部に、穴を設け、この穴同士を紐などの留め具によってシール部分の中央で留めることを可能とした構成が開示されている（特許文献１の図２参照）。
【０００５】
こうした袋は、培土が充填された状態で貯蔵、輸送、販売等される。使用者は、こうした袋の使用に際して、まず、シール部分を紐で絞った状態、あるいは左右両端部に設けられた穴同士を留め具によってシール部分の中央で留めた状態で、該シール部分を底面として袋を立てて設置する。そして、シール部分の他方を開口させるとともに、袋内部の培土を底部に移動するように整えることで袋を実質的に円筒状にする。その後、袋内部の培土に植物を植える。
【先行技術文献】
【特許文献】
【０００６】
【特許文献１】特開２００１−１５７５１７号公報
【考案の概要】
【考案が解決しようとする課題】
【０００７】
ところで、特許文献１に記載の袋は、係止手段として紐を必要とするものである。そのため、シール部分を絞るために紐を引き締めたり、シール部分に設けられた穴に紐を通したりしなければならず、袋を自立させるための作業が煩雑であるという問題がある。
【課題を解決するための手段】
【０００８】
上記課題を解決するための培土袋は、開口となる側の第１端部及び前記第１端部とは反対側に位置する第２端部を有するとともに培土が充填される袋本体と、前記袋本体の幅方向における前記第２端部の両端に設けられるとともに互いに係合されて連結可能な連結部と、を備える。
【０００９】
同構成によれば、使用者は、袋の使用に際して、まず、未開封の袋を第１端部を下側にして立てる。これにより、袋に充填されている培土が、袋の内部を自重によって下側、すなわち第１端部側に移動することで、袋の内部の上側、すなわち第２端部側には隙間が生じる。続いて、袋本体のうち第２端部の両端の一方及び他方をそれぞれ含む部分を、袋本体の長さ方向に対して傾斜して延びる折り線に沿って折り曲げるとともに、連結部を互いに係合させて連結する。続いて、上記一対の折り線と第２端部の外縁とを含む略台形状の部分を、袋本体のうち培土を含む部分に向けて折り曲げる。続いて、この状態の袋を第１端部が上側となるように反転させて立てる。こうして立てられた袋においては、上記略台形状の部分が袋の底面となる。したがって、袋を安定して自立させることが容易にできる。
【００１０】
上記培土袋において、前記連結部は、雄スナップボタンと、前記雄スナップボタンに対して着脱自在に連結される雌スナップボタンと、を有していることが好ましい。
同構成によれば、雄スナップボタンと雌スナップボタンとがスナップフィットによって着脱自在に連結される。このため、簡単な構成の連結部を容易に実現することができる。
【００１１】
上記培土袋において、前記雄スナップボタン及び前記雌スナップボタンの一方は、前記袋本体を構成する表シート及び裏シートの一方の外面に設けられており、前記雄スナップボタン及び前記雌スナップボタンの他方は、前記表シート及び前記裏シートの他方の外面に設けられていることが好ましい。
【００１２】
同構成によれば、袋本体のうち第２端部の両端の一方及び他方をそれぞれ含む部分が、上記折り線に沿って折り曲げられた際に、同部分の一方の表シートと同部分の他方の裏シートとが互いに重なり合う。この状態において、対向する雄スナップボタンと雌スナップボタンとをそのまま押し付け合うことによって、雄スナップボタンと雌スナップボタンとが連結される。このため、雄スナップボタンと雌スナップボタンとの連結作業を容易に行うことができる。また、こうして形成される上記略台形状の部分においては、雄スナップボタン及び雌スナップボタンが突出しにくくなるため、袋を一層安定して自立させることができる。
【００１３】
上記培土袋において、前記第２端部には、前記幅方向に延びるとともに前記袋本体を構成する表シートと裏シートとを接合してシールするシール部が設けられており、前記連結部は、前記袋本体の長さ方向において前記シール部よりも外側に設けられていることが好ましい。
【００１４】
同構成によれば、連結部を設けることによって袋本体の容積が影響を受けることを避けることができる。
【考案の効果】
【００１５】
本考案によれば、袋を安定して自立させることが容易にできる。
【図面の簡単な説明】
【００１６】
【図１】図１は、一実施形態の培土袋の表面の平面図である。
【図２】図２は、同実施形態の培土袋の裏面の平面図である。
【図３】図３は、同実施形態の培土が充填され、且つ第１端部がシールされた状態の培土袋の平面図である。
【図４】図４（ａ），図４（ｂ）は、培土袋の使用手順を示す正面図である。
【図５】図５（ａ）〜図５（ｃ）は、培土袋の使用手順を示す正面図である。
【考案を実施するための形態】
【００１７】
以下、図１〜図５を参照して、一実施形態について説明する。
図１及び図２に示すように、培土袋（以下、袋１）は、袋本体１０と、連結部２０とを備えている。
【００１８】
＜袋本体１０＞
図１及び図２に示すように、袋本体１０は、筒状であり、開口となる側の第１端部１１及び第１端部１１とは反対側に位置する第２端部１２を有している。培土が充填されていない状態の袋本体１０は、平面視長方形状である。袋本体１０は、袋本体１０の軸線方向（図１及び図２の上下方向）が長方形の長辺方向と一致する長方形状である。
【００１９】
なお、以降において、袋本体１０の長辺方向及び短辺方向を、それぞれ長さ方向Ｌ及び幅方向Ｗとして説明する。
袋本体１０は、表シート１０Ａと裏シート１０Ｂとを有している。本実施形態では、袋本体１０が、１枚の筒状のシートによって構成されている。袋本体１０は、ポリオレフィン系フィルムにより構成されている。
【００２０】
図３に示すように、第１端部１１には、幅方向Ｗに延びるとともに表シート１０Ａと裏シート１０Ｂとを接合してシールする第１シール部１３が設けられている。
図１〜図３に示すように、第２端部１２には、幅方向Ｗに延びるとともに表シート１０Ａと裏シート１０Ｂとを接合してシールする第２シール部１４が設けられている。
【００２１】
第１シール部１３及び第２シール部１４は、表シート１０Ａと裏シート１０Ｂとを熱融着することによって形成されている。
なお、第２シール部１４が、本考案に係るシール部に相当する。
【００２２】
図１及び図３に示すように、長さ方向Ｌにおいて表シート１０Ａの第１端部１１側の外面には、幅方向Ｗに延びる切り取り線１５が表示されている。切り取り線１５は、長さ方向Ｌにおいて第１シール部１３よりも内側に設けられている（図３参照）。切り取り線１５は、印刷によって形成されている。
【００２３】
表シート１０Ａには、表側表示部３０が設けられている。表側表示部３０は、袋１に培土５０が充填された状態の商品に関する情報を表示する。こうした情報としては、例えば培土５０が充填された状態の袋１の商品名、袋１の充填容量、バーコードなどが挙げられる。
【００２４】
図２に示すように、裏シート１０Ｂには、裏側表示部４０が設けられている。裏側表示部４０は、袋１の商品名、袋１の充填容量、バーコードに加えて、袋１を自立させる方法、袋１を用いた植物の栽培方法などを表示する。
【００２５】
表側表示部３０及び裏側表示部４０は、印刷によって形成されている。
図１及び図２に示すように、袋本体１０における第１端部１１側の開口を通じて袋本体１０の内部に培土５０が充填される。この状態において第１シール部１３が形成されることで、袋本体１０の上記開口がシールされる（図３参照）。
【００２６】
＜連結部２０＞
図１〜図３に示すように、連結部２０は、袋本体１０の幅方向Ｗにおける第２端部１２の両端に設けられるとともに互いに係合されて連結可能に構成されている。
【００２７】
連結部２０は、長さ方向Ｌにおいて第２シール部１４よりも外側に設けられている。
連結部２０は、雄スナップボタン２１と、雄スナップボタン２１に対して着脱自在に連結される雌スナップボタン２２とを有している。
【００２８】
雄スナップボタン２１及び雌スナップボタン２２は、取付部材２１ａ，２２ａとによって袋本体１０を厚さ方向に挟持する態様で取り付けられている。本実施形態では、雄スナップボタン２１、雌スナップボタン２２、及び取付部材２１ａ，２２ａが、硬質樹脂材料により構成されている。
【００２９】
図１及び図３に示すように、雄スナップボタン２１は、袋本体１０を構成する表シート１０Ａの外面に設けられている。
図２に示すように、雌スナップボタン２２は、裏シート１０Ｂの外面に設けられている。
【００３０】
次に、袋１の使用方法とともに本実施形態の作用について説明する。
図４（ａ）に示すように、使用者は、袋１の使用に際して、まず、未開封の袋１を第１端部１１を下側にして立てる。これにより、袋１に充填されている培土５０が、袋１の内部を自重によって下側、すなわち第１端部１１側に移動することで、袋１の内部の上側、すなわち第２端部１２側には隙間Ｓが生じる。
【００３１】
図４（ｂ）に示すように、続いて、袋本体１０のうち第２端部１２の両端の一方及び他方をそれぞれ含む部分１７を、袋本体１０の長さ方向Ｌに対して傾斜して延びる折り線Ｆ１，Ｆ２に沿って折り曲げるとともに、連結部２０を互いに係合させて連結する。
【００３２】
続いて、上記一対の折り線Ｆ１，Ｆ２と第２端部１２の外縁１２ａとを含む略台形状の部分１８を、袋本体１０のうち培土５０を含む部分に向けて折り曲げる。
図５（ａ）に示すように、続いて、この状態の袋１を第１端部１１が上側となるように反転させて立てる。こうして立てられた袋１においては、上記略台形状の部分１８が袋１の底面となる（以上、本実施形態の作用）。
【００３３】
図５（ｂ）に示すように、続いて、袋本体１０を切り取り線１５に沿って切断することにより、第１端部１１を除去する。
図５（ｃ）に示すように、続いて、袋本体１０の上部に形成された開口１６の周縁部を外側に１回または複数回折り返す。
【００３４】
最後に、袋本体１０の下部に排水用の孔を設ける。
なお、袋１を用いた植物の栽培方法については、特許文献１に開示されている植物の栽培方法と同様であることから説明を省略する。
【００３５】
次に、本実施形態の効果について説明する。
（１）本実施形態の作用を奏することから、袋１を安定して自立させることが容易にできる。
【００３６】
（２）連結部２０は、雄スナップボタン２１と、雄スナップボタン２１に対して着脱自在に連結される雌スナップボタン２２とを有している。
こうした構成によれば、雄スナップボタン２１と雌スナップボタン２２とがスナップフィットによって着脱自在に連結される。このため、簡単な構成の連結部２０を容易に実現することができる。
【００３７】
（３）雄スナップボタン２１は、袋本体１０を構成する表シート１０Ａの外面に設けられており、雌スナップボタン２２は、裏シート１０Ｂの外面に設けられている。
こうした構成によれば、袋本体１０のうち第２端部１２の両端の一方及び他方をそれぞれ含む部分１７が折り線Ｆ１，Ｆ２に沿って折り曲げられた際に、部分１７の一方の表シート１０Ａと部分１７の他方の裏シート１０Ｂとが互いに重なり合う。この状態において、対向する雄スナップボタン２１と雌スナップボタン２２とをそのまま押し付け合うことによって、雄スナップボタン２１と雌スナップボタン２２とが連結される。このため、雄スナップボタン２１と雌スナップボタン２２との連結作業を容易に行うことができる。また、こうして形成される上記略台形状の部分１８においては、雄スナップボタン２１及び雌スナップボタン２２が突出しにくくなるため、袋１を一層安定して自立させることができる。
【００３８】
（４）第２端部１２には、幅方向Ｗに延びるとともに袋本体１０を構成する表シート１０Ａと裏シート１０Ｂとを接合してシールする第２シール部１４が設けられている。連結部２０は、第２シール部１４よりも長さ方向Ｌの外側に設けられている。
【００３９】
こうした構成によれば、連結部２０を設けることによって袋本体１０の容積が影響を受けることを避けることができる。
（５）袋本体１０を構成する表シート１０Ａの第１端部１１の外面には、幅方向Ｗに延びる切り取り線１５が表示されている。
【００４０】
こうした構成によれば、使用者は、切り取り線１５が表示されている第１端部１１を目視にて把握することができる。したがって、使用者が誤って第２端部１２を鋏などで開封することを抑制することができる。
【００４１】
＜変形例＞
本実施形態は、以下のように変更して実施することができる。本実施形態及び以下の変更例は、技術的に矛盾しない範囲で互いに組み合わせて実施することができる。
【００４２】
・切り取り線１５を表シート１０Ａに加えて、あるいは表シート１０Ａに代えて裏シート１０Ｂに表示させることもできる。
・切り取り線１５の表示を省略することもできる。
【００４３】
・連結部２０は、長さ方向Ｌにおいて第２シール部１４よりも内側に設けられていてもよい。
・雄スナップボタン２１及び雌スナップボタン２２は、例えば表シート１０Ａのみ、裏シート１０Ｂのみに設けられていてもよい。
【００４４】
・連結部２０は、雄スナップボタン２１及び雌スナップボタン２２に限定されない。他に例えば、袋本体１０を貫通する孔と、同孔に連結可能なフックとによって連結部を構成することもできる。
【符号の説明】
【００４５】
１…袋
１０…袋本体
１０Ａ…表シート
１０Ｂ…裏シート
１１…第１端部
１２…第２端部
１２ａ…外縁
１３…第１シール部
１４…第２シール部（シール部）
１５…切り取り線
１６…開口
１７…部分
１８…略台形状の部分
２０…連結部
２１…雄スナップボタン
２１ａ…取付部材
２２…雌スナップボタン
２２ａ…取付部材
３０…表側表示部
４０…裏側表示部
５０…培土
Ｆ１，Ｆ２…折り線
Ｌ…長さ方向
Ｓ…隙間
Ｗ…幅方向
【図１】
0003235360.tif 000003
【図２】
0003235360.tif 000004
【図３】
0003235360.tif 000005
【図４】
0003235360.tif 000006
【図５】
0003235360.tif 000007